(57)【要約】      （修正有）【課題】切込み深さの設定を正確に行うことができる携帯用かんなを提供する。【解決手段】回転駆動源である電動機を内蔵した本体２と、該本体２に回転可能に設けられたカッタブロックと、該カッタブロックの外周部に取り付けられた刃物と、本体２に上下動可能に取り付けられたフロントベース８と、刃物による被削材の切込み深さを調整する切込み深さ調整機構９を備え、該切込み深さ調整機構９を、フロントベースに立設されたボルト１０と、該ボルト１０に螺合して本体２上で回転可能なノブ１１と、切込み深さを表示する切込み深さ表示部１２を含んで構成して成る携帯用かんなにおいて、切込み深さ表示部１２が設けられた表示プレート１７をノブ１１に対して単独で回転可能且つノブ１１の回動に連動するよう設ける。又、表示プレート１７をノブ１１と本体２との間に設ける。【選択図】図１
2009113393.tif 000002
【特許請求の範囲】
【請求項１】
回転駆動源である電動機を内蔵した本体と、該本体に回転可能に設けられたカッタブロックと、該カッタブロックの外周部に取り付けられた刃物と、前記本体に上下動可能に取り付けられたフロントベースと、前記刃物による被削材の切込み深さを調整する切込み深さ調整機構を備え、該切込み深さ調整機構を、前記フロントベースに立設されたボルトと、該ボルトに螺合して前記本体上で回転可能なノブと、切込み深さを表示する切込み深さ表示部を含んで構成して成る携帯用かんなにおいて、
切込み深さ表示部が設けられた表示プレートを前記ノブに対して単独で回転可能且つノブの回動に連動するよう設けたことを特徴とする携帯用かんな。
【請求項２】
前記表示プレートを前記ノブと前記本体との間に設けたことを特徴とする請求項１記載の携帯用かんな。
【請求項３】
前記ノブと共に一体に回転する回転プレートをノブと前記本体との間に設けるとともに、該回転プレートと前記表示プレートとの間に弾性体を縮装したことを特徴とする請求項１又は２記載の携帯用かんな。
【発明の詳細な説明】
【技術分野】
【０００１】
本発明は、切込み深さ調整機構を備えた携帯用かんなに関するものである。
【背景技術】
【０００２】
切込み深さ調整機構を備えた従来の携帯用かんなを図６〜図８に基づいて説明する。
【０００３】
図６は従来の携帯用かんなの破断側面図、図７は同携帯用かんなの切込み深さ調整機構部分の側断面図、図８は図６の矢視Ｃ方向の図であり、図６に示す携帯用かんな１は、回転駆動源である不図示の電動機を内蔵した本体２を備えている。そして、本体２の上部にはハンドル３が一体に形成されており、該ハンドル３には電源コード４から前記電動機への給電をＯＮ／ＯＦＦして電動機を起動／停止させるためのスイッチ５が設けられている。
【０００４】
又、本体２の長手方向中間下部には図６の紙面垂直方向に長い円柱状のカッタブロック６が回転可能に設けられており、該カッタブロック６の外周部の相対向する２面にはプレート状の刃物７がそれぞれ取り付けられている。
【０００５】
更に、本体２の前方下部（図６の左方を前方とする）には、フロントベース８が上下動可能に取り付けられており、本体２の前部には、フロントベース８を上下動させて刃物７による被削材の切込み深さを調整するための切込み深さ調整機構９が設けられている。
【０００６】
ここで、上記切込み深さ調整機構９の構成を図７及び図８に基づいて説明する。
【０００７】
切込み深さ調整機構９は、図７に示すように、フロントベース８に垂直に立設されたボルト１０と、該ボルト１０に螺合して本体２上で回転可能なノブ１１と、図８に示すようにノブ１１の上面に貼り付けられたシール等から成る切込み深さ表示部１２を含んで構成されている。
【０００８】
上記ボルト１０の上端ねじ部は本体２を貫通して該本体２の上方に突出しており、この上端ねじ部にノブ１１に埋め込まれたナット１３が螺合している。そして、ボルト１０の周りの本体２とフロントベース８との間にはスプリング１４が縮装されており、ノブ１１にはスプリング１４による下向きの付勢力がフロントベース８とボルト１０を介して常時作用しており、この付勢力によってノブ１１は本体２に押し付けられている。
【０００９】
又、図８に示すように、ノブ１１の上面に貼り付けられた切込み深さ表示部１２には、切込み深さを示す数字「０」、「０．５」、「１．０」（単位はｍｍ）を含む目盛りが表示されており、本体２の上面には切込み深さ表示部１２に表示された目盛りを合わせるための矢印１５が設けられている。尚、工場出荷時において、ノブ１１を回してフロントベース８を上下動させ、該フロントベース８の下面と刃物７とが同一面となるよう調整され、その状態で切込み深さ表示部１２がこれに表示された「０」と矢印１５が一致するようにノブ１１に貼り付けられて零点調整がなされる。
【００１０】
而して、作業者が図６に示す携帯用かんな１のハンドル３を把持してスイッチ５をＯＮすれば、本体２に内蔵された電動機に通電されて該電動機が起動され、この電動機によってカッタブロック６とこれに取り付けられた刃物７が所定の速度で回転駆動される。そして、その状態で携帯用かんな１を不図示の被削材上を図６の矢印方向に前進させれば、回転する刃物７によって被削材が切削加工される。
【００１１】
ところで、刃物７による被削材の切込み深さの調整は、ノブ１１を回してフロントベース８を上下動させることによって行われる。即ち、ノブ１１を回せば、これに埋め込まれたナット１３に螺合するボルト１０がフロントベース８と共に上下動するため、このフロントベース８の上下動によって切込み深さが任意に調整される。そして、切込み深さが調整された後は、ノブ１１は前述のようにスプリング１４によって本体２に押し付けられているため、両者間に発生する摩擦抵抗によってノブ１１の回転が防がれ、作業中にノブ１１が回って切込み深さが変化するという不具合が発生することがない。
【００１２】
尚、携帯用かんなに設けられる切込み深さ調整機構については特許文献１に提案が成されているが、提案された切込み深さ調整機構は以上に説明したものとは別形態のものであって、本体の傾斜面に沿ってスライドするスレイドシューを用いるものである。
【特許文献１】特開２００２−０３６２０４号公報
【発明の開示】
【発明が解決しようとする課題】
【００１３】
図６〜図８に示した従来の携帯用かんな１の切込み深さ調整機構９においては、前述のように切込み深さ表示部１２は工場出荷時に貼付等によってノブ１１に固定されているため、作業により刃物７が摩耗してきたり、或いは刃物７の交換時の取付誤差によって刃物７の高さが変わったような場合には、切込み深さ表示部１２の零点設定が狂うことがあり、正確な切込み深さの設定が困難となるという問題があった。
【００１４】
本発明は上記問題に鑑みてなされたもので、その目的とする処は、切込み深さの設定を正確に行うことができる携帯用かんなを提供することにある。
【課題を解決するための手段】
【００１５】
上記目的を達成するため、請求項１記載の発明は、回転駆動源である電動機を内蔵した本体と、該本体に回転可能に設けられたカッタブロックと、該カッタブロックの外周部に取り付けられた刃物と、前記本体に上下動可能に取り付けられたフロントベースと、前記刃物による被削材の切込み深さを調整する切込み深さ調整機構を備え、該切込み深さ調整機構を、前記フロントベースに立設されたボルトと、該ボルトに螺合して前記本体上で回転可能なノブと、切込み深さを表示する切込み深さ表示部を含んで構成して成る携帯用かんなにおいて、切込み深さ表示部が設けられた表示プレートを前記ノブに対して単独で回転可能且つノブの回動に連動するよう設けたことを特徴とする。
【００１６】
請求項２記載の発明は、請求項１記載の発明において、前記表示プレートを前記ノブと前記本体との間に設けたことを特徴とする。
【００１７】
請求項３記載の発明は、請求項１又は２記載の発明において、前記ノブと共に一体に回転する回転プレートをノブと前記本体との間に設けるとともに、該回転プレートと前記表示プレートとの間に弾性体を縮装したことを特徴とする。
【発明の効果】
【００１８】
請求項１記載の発明によれば、切込み深さが表示された表示プレートをノブに対して単独で回転可能に設けたため、刃物の摩耗や刃物の取付誤差によって切込み深さ表示の零点設定が狂っても、表示プレートを単独で回転させて再度零点設定を行うことができ、切込み深さの設定を正確に行うことができる。そして、表示プレートを単独で回転させて零点設定を行った後は、該表示プレートはノブに連動して一体に回動するため、該表示プレートによって切込み深さが正確に表示される。
【００１９】
請求項２記載の発明によれば、表示プレートをノブと本体との間に設けたため、該表示プレートの切込み深さ表示部が本体に表示された矢印により近くなり、該切込み深さ表示部に表示された目盛りを本体側の矢印により正確に合わせて切込み深さを正確に設定することができる。
【００２０】
請求項３記載の発明によれば、ノブと共に一体に回転する回転プレートと表示プレートとの間に弾性体を縮装したため、弾性体と回転プレート及び表示プレートの間に発生する摩擦抵抗によって表示プレートをノブの回転に連動させることができ、零点設定を行う場合には弾性体との間に発生する摩擦抵抗に抗して表示プレートを単独で回すことができ、これによって切込み深さの設定を正確に行うことができる。
【発明を実施するための最良の形態】
【００２１】
以下に本発明の実施の形態を添付図面に基づいて説明する。
【００２２】
＜実施の形態１＞
図１は本発明の実施の形態１に係る携帯用かんなの切込み深さ調整機構部分の側断面図、図２は図１のＡ−Ａ線断面図、図３は図１のＢ−Ｂ線断面図であり、これらの図においては図７及び図８に示したものと同一要素には同一符号を付しており、以下、それらについての再度の説明は省略する。
【００２３】
本実施の形態に係る携帯用かんなの基本構成は図６に示して従来のものと同じであり、切込み深さ調整機構のみが異なっているため、以下、切込み深さ調整機構についてのみ説明する。
【００２４】
本実施の形態に係る切込み深さ調整機構９においては、図１に示すように、本体２とノブ１１との間にリング状の回転プレート１６が設けられており、この回転プレート１６とノブ１１とは一体に回転するよう連結されている。即ち、図２に示すように、ノブ１１の外周４箇所には径方向に延びる突起１１ａが周方向に等角度ピッチ（９０°ピッチ）で突設されており、これらの突起１１ａが回転プレート１６の内周に形成された４つの凹部１６ａに嵌合することによって、回転プレート１６がノブ１１と共に一体に回転するよう取り付けられている。
【００２５】
又、上記回転プレート１６とノブ１１の間にはリング状の表示プレート１７が設けられており、この表示プレート１７は、回転プレート１６の上面に一体に形成された円筒状の軸部１６ｂを中心として単独で回転可能に支持されている。そして、この表示プレート１７の上面には、図３に示すように、切込み深さを示す数字「０」、「０．５」、「１．０」（単位はｍｍ）を含む目盛りが表示された切込み深さ表示部１２が設けられており、本体２の上面には切込み深さ表示部１２に表示された目盛りを合わせるための矢印１５が設けられている。尚、切込み深さ表示部１２には、シール貼付や印刷、或いは型彫り等によって目盛り及び数値「０」、「０．５」、「１．０」が表示されている。
【００２６】
そして、図１に示すように、表示プレート１７と回転プレート１６の間には弾性体であるゴムリング１８が縮装されており、このゴムリング１８は、表示プレート１７がノブ１１によって下方に押圧されることによって表示プレート１７と回転プレート１６間で押し潰され、表示プレート１７との間の摩擦抵抗によって表示プレート１７をノブ１１と連動させて一体に回転させる。又、表示プレート１７は、これをゴムリング１８との間の摩擦抵抗に抗して単独で（つまり、ノブ１１と回転プレート１６とは独立して）回転させることができる。
【００２７】
以上のように、本実施の形態に係る切込み深さ調整機構９では、切込み深さが表示された表示プレート１７をノブ１１に対して単独で回転可能に設けたため、刃物７の摩耗や刃物７の取付誤差によって切込み深さ表示部１２の零点設定が狂っても、表示プレート１７を単独で回転させて再度零点設定を行うことができ、切込み深さの設定を正確に行うことができる。そして、表示プレート１７を単独で回転させて零点設定を行った後は、該表示プレート１７はゴムリング１８との間に作用する摩擦抵抗によってノブ１１に連動して一体に回動するため、該表示プレート１７によって切込み深さが正確に表示される。尚、本実施の形態においても、切込み深さが調整された後は、ノブ１１は前述のようにスプリング１４によって本体２に押し付けられているため、両者間に発生する摩擦抵抗によってノブ１１の回転が防がれ、作業中にノブ１１が回って切込み深さが変化するという不具合が発生することがない。
【００２８】
又、本実施の形態に切込み深さ調整機構９においては、表示プレート１７をノブ１１と本体２との間に設けたため、該表示プレート１１７の切込み深さ表示部１２が本体２に表示された矢印１５により近くなり、該切込み深さ表示部１２に表示された目盛りを本体２側の矢印１５により正確に合わせて切込み深さを正確に設定することができるという効果も得られる。
【００２９】
＜実施の形態２＞
次に、本発明の実施の形態２を図４及び図５に基づいて説明する。
【００３０】
図４は本発明の実施の形態２に係る携帯用かんなの切込み深さ調整機構部分の側断面図、図５は回転プレートの底面図であり、これらの図においては図１〜図３に示したものと同一要素には同一符号を付しており、以下、それらについての再度の説明は省略する。
【００３１】
本実施の形態に係る切込み深さ調整機構９は、ノブ１１の回転にクリック感を付与するためのクリック機構を設けたことを特徴としており、他の構成は前記実施の形態１に係る切込み深さ調整機構９のそれと同じである。
【００３２】
即ち、本実施の形態では、図４に示すように、回転プレート１６と本体２の間に板スプリング１９を介設しており、該板スプリング１９は、本体２に形成された突起部２ａによって位置決めされている。又、図５に示すように、回転プレート１６の下面には、例えば１クリックが０．１ｍｍになるよう任意の角度に溝部１６ｃが形成されている。従って、板スプリング１９の突起部１９ａが回転プレート１６の溝部１６ｃに落ち込むことによって、任意の切込み深さにおいてノブ１１の回転にクリック感が付与される。
【００３３】
而して、本実施の形態に係る切込み深さ調整機構９は基本的に前記実施の形態１に係る切込み深さ調整機構９と同じであるため、本実施の形態においても前記実施の形態１と同様の効果が得られる。
【図面の簡単な説明】
【００３４】
【図１】本発明の実施の形態１に係る携帯用かんなの切込み深さ調整機構部分の側断面図である。
【図２】図１のＡ−Ａ線断面図である。
【図３】図１のＢ−Ｂ線断面図である。
【図４】本発明の実施の形態２に係る携帯用かんなの切込み深さ調整機構部分の側断面図である。
【図５】本発明の実施の形態２に係る携帯用かんなの切込み深さ調整機構を構成する回転プレートの底面図である。
【図６】従来の携帯用かんなの破断側面図である。
【図７】従来の携帯用かんなの切込み深さ調整機構部分の側断面図である。
【図８】図６の矢視Ｃ方向の図である。
【符号の説明】
【００３５】
１      携帯用かんな
２      本体
２ａ    本体の突起部
３      ハンドル
４      電源コード
５      スイッチ
６      カッタブロック
７      刃物
８      フロントベース
９      切込み深さ調整機構
１０    ボルト
１１    ノブ
１１ａ  ノブの突起
１２    切込み深さ表示部
１３    ナット
１４    スプリング
１５    矢印
１６    回転プレート
１６ａ  回転プレートの凹部
１６ｂ  回転プレートの軸部
１６ｃ  回転プレートの溝部
１７    表示プレート
１８    ゴムリング（弾性体）
１９    板スプリング
１９ａ  板スプリングの突起部
【図１】
2009113393.tif 000003
【図２】
2009113393.tif 000004
【図３】
2009113393.tif 000005
【図４】
2009113393.tif 000006
【図５】
2009113393.tif 000007
【図６】
2009113393.tif 000008
【図７】
2009113393.tif 000009
【図８】
2009113393.tif 000010